(57)【要約】【課題】斜面構台上に簡単に水平な作業盤を構築することができ、安定性も確保することができる斜面構台用の作業架台の提供、及びその作業架台を用い施工効率が高い斜面構台の構築方法を提供すること。【解決手段】斜面に設置され、勾配を可変可能な作業盤と、前記作業盤の勾配を保持可能な支柱とを具備する斜面構台用作業架台において、前記作業盤は一端が回動自在に枢支され、前記支柱は一端が回動自在に枢支され、前記作業盤の他端を持ち上げて前記支柱によって支持することにより、前記作業盤の勾配を保持できる斜面構台用作業架台であって、前記作業架台を２組用い、作業架台の設置と作業盤の吊り上げ及び収納を適宜繰り返して斜面構台を構築していくことを特徴とする。【選択図】図１
2007138581.tif 000002
【特許請求の範囲】
【請求項１】
斜面に設置され、勾配を可変可能な作業盤と、前記作業盤の勾配を保持可能な支柱とを具備する斜面構台用作業架台において、
前記作業盤は一端が回動自在に枢支され、
前記支柱は一端が回動自在に枢支され、
前記作業盤の他端を持ち上げて前記支柱によって支持することにより、前記作業盤の勾配を保持できることを特徴とする、
斜面構台用作業架台。
【請求項２】
作業盤と支柱とが連結具によって連結され、前記作業盤の他端を持ち上げる際に前記支柱が前記連結具によって引っ張られて自動的に起きあがり、作業盤を支持することを特徴とする、請求項１に記載の斜面構台用作業架台。
【請求項３】
支持桁台と敷桁を更に具備し、前記支持桁台は作業盤の一端に回動自在に枢支され、前記敷桁台は支柱の一端に回動自在に枢支されることを特徴とする、請求項１又は２に記載の斜面構台用作業架台。
【請求項４】
作業盤の収納時における支持桁台と敷桁及び作業盤の高さが、斜面構台に覆工された覆工板と同じ高さになるように構成したことを特徴とする、請求項３に記載の斜面構台用作業架台。
【請求項５】
請求項１乃至４の何れかに記載の斜面構台用作業架台を２組用いる斜面構台の構築方法であって、
第１斜面構台を架設する工程と、
第１斜面構台に、第１作業架台を設置する工程と、
第１作業架台の作業盤を起こして水平な第１作業場を構築する工程と、
第１作業場に重機を移動させる工程と、
第２斜面構台を架設する工程と、
第２斜面構台上に第２作業架台を設置する工程と、
第２作業架台の作業盤を起こして水平な第２作業場を構築する工程と、
第１作業架台上から、重機を後退させる工程と
第１作業架台の作業盤を収納する工程と、
第１作業架台を通過して第２作業場へ重機を移動させる工程と、
第３斜面構台を構築する工程と、
第１斜面構台から第１作業架台を取り外し、第３斜面構台へ設置する工程と、
第１斜面構台に覆工板を敷設する工程と、
第２作業架台上から、重機を後退させる工程と
第２作業架台の作業盤を収納する工程と、
第２作業架台を通過して第３作業場へ重機を移動させる工程と、からなり、
上記工程を繰り返して斜面構台を架設していくことを特徴とする、
斜面構台の構築方法。
【発明の詳細な説明】
【技術分野】
【０００１】
本発明は斜面構台用作業架台及びそれを用いた斜面構台の構築方法に関し、より詳しくは、勾配のついた斜面構台上において、重機作業を可能とする水平な作業盤を構築することができる作業架台を提供し、また、前記作業架台を用いる斜面構台の構築方法に関する。
【背景技術】
【０００２】
従来、斜面構台の構築時におけるクローラクレーンなどの重機は、転倒の危険性があり作業が難しく、多種多様な方法で斜面構台上に水平な作業場を構築し、作業を行っていた。
【発明の開示】
【発明が解決しようとする課題】
【０００３】
水平な作業場を構築する１番目の方法としては、クローラクレーンの履帯の下に木材などのレベル調整材を設置することが知られている。
しかし、前記調整材による方法では、斜面構台との固定方法が十分でなく、斜面構台の勾配によって滑りが発生したり、作業の安定性に欠けるという問題があった。
【０００４】
２番目の方法としては、斜面構台の勾配自体を緩める方法がある。
しかし、緩い勾配であっても、前記の１番目の方法のような調整材が必要になるほか、斜面構台の付設距離が伸びるため、施工効率が悪く、非経済的であるという問題があった。
【０００５】
３番目の方法としては、斜面構台の途上に水平盤を別途構築する方法がある。
しかし、この方法も作業手順が増加するほか、斜面構台の付設距離が伸びるため、施工効率が悪く、非経済的であるという問題があった。
【０００６】
従って、本発明の目的は、斜面構台上に簡単に水平な作業盤を構築することができ、安定性も確保することができる斜面構台用の作業架台を提供すること、及びその作業架台を用い、施工効率が高い斜面構台の構築方法を目的とする。
【課題を解決するための手段】
【０００７】
そこで、上記目的を達成するためになされた本願の第１発明は、斜面に設置され、勾配を可変可能な作業盤と、前記作業盤の勾配を保持可能な支柱とを具備する斜面構台用作業架台において、前記作業盤は一端が回動自在に枢支され、前記支柱は一端が回動自在に枢支され、前記作業盤の他端を持ち上げて前記支柱によって支持することにより、前記作業盤の勾配を保持できることを特徴とする、斜面構台用作業架台を提供するものである。
【０００８】
また、本願の第２発明は、作業盤と支柱とが連結具によって連結され、前記作業盤の他端を持ち上げる際に前記支柱が前記連結具によって引っ張られて自動的に起きあがり、作業盤を支持することを特徴とする本願の第１発明に記載の斜面構台用作業架台を提供するものである。
【０００９】
また、本願の第３発明は、支持桁台と敷桁を更に具備し、前記支持桁台は作業盤の一端に回動自在に枢支され、前記敷桁台は支柱の一端に回動自在に枢支されることを特徴とする、本願の第１発明又は第２発明の何れかに記載の斜面構台用作業架台を提供するものである。
【００１０】
また、本願の第４発明は、作業盤の収納時における支持桁台と敷桁及び作業盤の高さが、斜面構台に覆工された覆工板と同じ高さになるように構成したことを特徴とする、本願の第３発明に記載の斜面構台用作業架台を提供するものである。
【００１１】
本願の第５発明は、本願の第１発明乃至第４発明の何れかに記載の斜面構台用作業架台を２組用いる斜面構台の構築方法であって、第１斜面構台を架設する工程と、第１斜面構台に、第１作業架台を設置する工程と、第１作業架台の作業盤を起こして水平な第１作業場を構築する工程と、第１作業場に重機を移動させる工程と、第２斜面構台を架設する工程と、第２斜面構台上に第２作業架台を設置する工程と、第２作業架台の作業盤を起こして水平な第２作業場を構築する工程と、第１作業架台上から、重機を後退させる工程と第１作業架台の作業盤を収納する工程と、第１作業架台を通過して第２作業場へ重機を移動させる工程と、第３斜面構台を構築する工程と、第１斜面構台から第１作業架台を取り外し、第３斜面構台へ設置する工程と、第１斜面構台に覆工板を敷設する工程と、第２作業架台上から、重機を後退させる工程と第２作業架台の作業盤を収納する工程と、第２作業架台を通過して第３作業場へ重機を移動させる工程と、からなり、上記工程を繰り返して斜面構台を架設していくことを特徴とする、斜面構台の構築方法を提供するものである。
【発明の効果】
【００１２】
本発明は、上記した課題を解決するための手段により、次のような効果の少なくとも一つを得ることができる。
＜１＞作業架台組立時に、１点吊りによる架台の昇降が可能となり、簡単に斜面構台上に水平な作業場を提供することができる。
＜２＞作業架台の組立における架台の吊り上げにより、連結している連結具が引っ張られることで支柱材が追従して起きあがり、自動的に作業架台を組み立てることができる。
＜３＞作業架台の収納時には、作業架台の高さが斜面構台に覆工した覆工板と同レベルになるため、重機や他の車両の通行が可能になる。
【発明を実施するための最良の形態】
【００１３】
以下、図面を参照しながら本発明の実施の形態について説明する。
【実施例】
【００１４】
［作業架台の構成］
＜１＞全体構成
図１に本発明の斜面構台用の作業架台の構成図を示す。
作業架台Aは、作業盤１と支柱２と支持桁台３と敷桁４とから構成される。
作業盤１は、斜面構台Bに付設され、一端を支持桁台３に回動自在に枢支され、前記回動によって作業架台自体の勾配を可変可能に構成する。
支柱２は、一端が敷桁台４に回動自在に枢支され、前記回動によって持ち上げた作業盤１を支持可能に構成する。
【００１５】
大型の重機を使用する場合などは、作業架台Ａを複数並べてもよい。例えば、重機の履帯に対して図１に記載の作業架台Ａを１台設置し、計２台によって構成することもできる。
【００１６】
以下に本発明の斜面構台用の作業架台の各構成部品を説明する。
【００１７】
＜２＞作業盤１
本実施例における作業盤１は、図１に示すように、支持桁台３と同じ高さ（レベル）を保持するように形成された覆工桁１１と、前記覆工桁１１の両側面に配置された架台主桁１２と、からなる。
架台主桁１２はH型鋼などを用い、フランジ部分に作業盤１を上昇させるための吊りブロック１３を設けておく。吊りブロック１３は、架台主桁の両方に設けてもよいし、片側のみに設けておいてもよい。
【００１８】
＜３＞支柱２
支柱２の一端は、敷桁４にピン連結され、回動自在に枢支される。支柱２は、周知の鋼材等を用いることができる。
支柱２のその他の実施例として、図５に示すように、プレート型の鋼材を多段に積み上げ固定して構成してもよい。積み上げ型に構成することで、斜面構台Bの勾配に対応して支柱２の高さを可変に調整でき、本発明の作業架台の汎用性を高めることができる。
【００１９】
＜４＞支持桁台３、敷桁台４
支持桁台３は、斜面構台の構築方向に対して反対側の位置に配置され、反対に敷桁台４は、作業盤１の斜面構台の構築方向側のにの反対方向に配置される。
支持桁台３は、作業盤１を回動可能に作業盤の一端をピン６によって連結し、枢支する。敷桁台４は、支柱２を回動可能にピン７によって連結して枢支する。
支持桁台３及び敷桁台４の高さは、前記覆工桁１２と同じ高さにしておき、作業盤１の収納時に、作業架台A全体が平坦な通路になるように構成する。
【００２０】
＜５＞連結具５
連結具５は、ワイヤなどを用い、一端を支柱２、他端を作業盤１の架台主桁１２に連結しておく。
【００２１】
次に、本発明に係る作業架台の機能・作用を示す。
【００２２】
［作業盤の収納時］
図２に本発明に係る作業架台の作業盤を収納しているときの平面図を示す。
作業盤を収納しているときの作業架台は、既に斜面構台Bに覆工済みの覆工板Cの高さと、支持桁台３の高さと、覆工桁１１の高さと、敷桁台４の高さが同じになるため、重機等の車両の通過が可能である。
【００２３】
［作業盤の吊り上げ時］
図３に作業架台の作業盤を吊り上げたときの平面図を示す。
作業盤１のつり上げは、図に示すように、リフティング柱８などによって、吊りブロック１３を上昇させることによって行うなど、周知の吊り上げ方法を用いてよい。
図４に、吊り上げ途中の支柱２の拡大図を示す。作業盤１の架台主桁１２が持ち上げられる（つり上げられる）ことで、前記連結具５が引っ張られ、同時に支柱２がピン７を中心に回動して敷桁台３上に起きあがり、いわゆるつっかえ棒のように架台主桁１２を支持する。支持された架台主桁１２は水平面を形成し、重機の作業場として用いることができる。
前述したように、覆工板Cの高さと、覆工桁１２の高さと、支持桁台３の高さはほぼ同じで、覆工桁１２への重機等の車両移動に特段影響はない。
【００２４】
次に、本発明に係る作業架台を用いた斜面構台の構築方法について説明する。
【００２５】
本発明に係る斜面構台の構築方法では、作業架台を２組使用し、適宜斜面構台の架設、作業架台の設置と作業盤の吊り上げ及び収納を適宜繰り返して斜面構台を構築していく。以下に詳細を説明する。
【００２６】
（１）第１斜面構台の架設〜第２作業場の構築（図６〜図９）
まず、既存の作業場から、重機１０によって第１斜面構台１００を架設し（図６）、その第１斜面構台１００上に１組目の作業架台１１０を設置する（図７）。
本実施例では、既に作業盤１１を起こした状態の作業架台を設置しているが、収納した状態で斜面構台に設置してから、作業盤１１を起こしても良い。
作業盤１１を起こした箇所を第１作業場１２０とし、当該第１作業場１２０に重機を移動させ、新たに第２斜面構台２００を架設する（図８）。その後、第２斜面構台２００に２組目の作業架台２１０を設置し、作業盤１１を起こして第２作業場２２０を構築する（図９）。
【００２７】
（２）重機の後退〜第３作業場の構築（図１０〜図１４）
ともに水平面を形成する第１作業場１２０と第２作業場２２０との間は段差があるため、重機１０をそのまま第２作業場へ前進させることはできない。したがって、第１作業場１２０から一度重機１０を後退させ、第１作業架台１２０の作業盤を収納し、第２作業場２２０への移動通路を形成したうえで（図１０）、重機１０を第２作業場２２０まで移動させる（図１１）。
第２作業場２２０に重機１０を移動させた後、新たに第３斜面構台３００を架設する（図１２）。
ここで、第１斜面構台１００上に設置されていた第１作業架台１１０を第３斜面構台上へ盛替え設置し（図１３）、作業盤を起こして第３作業場３２０を構築する（図１４）。
【００２８】
（３）第１斜面構台１００への覆工作業〜第３作業場３２０への移動（図１５〜図１７）
第２作業場上２２０の重機を反転させて、第１斜面構台１００に覆工板Ｃを敷設する（図１５）。
その後、重機１０を覆工板Ｃ敷設後の第１斜面構台１００まで後退させ、第２作業架台２１０の作業盤を下降させて収納し、第３作業場３２０への移動通路を形成し（図１６）、重機１０を第３作業場３２０まで移動させる（図１７）。
【００２９】
このとき、第２斜面構台２００に設置していた第２作業架台２１０を、次スパンの第１作業架台として用い、上記（１）〜（３）の工程を繰り返して斜面構台を構築していく。
本発明に係る斜面構台の構築方法によっては、２組の作業架台１１０、２１０を使用することにより、非常に効率的に斜面構台の構築作業を行うことができる。
【図面の簡単な説明】
【００３０】
【図１】本発明の作業架台の概略図。
【図２】本発明の作業架台を設置した斜面構台の平面図。
【図３】図２において作業架台を起こした時の平面図。
【図４】支柱２の起きあがりを示す拡大図。
【図５】支柱２のもう一つの実施例を示す図。
【図６】本発明の作業架台を用いた構築方法の第１工程図。
【図７】本発明の作業架台を用いた構築方法の第２工程図。
【図８】本発明の作業架台を用いた構築方法の第３工程図。
【図９】本発明の作業架台を用いた構築方法の第４工程図。
【図１０】本発明の作業架台を用いた構築方法の第５工程図。
【図１１】本発明の作業架台を用いた構築方法の第６工程図。
【図１２】本発明の作業架台を用いた構築方法の第７工程図。
【図１３】本発明の作業架台を用いた構築方法の第８工程図。
【図１４】本発明の作業架台を用いた構築方法の第９工程図。
【図１５】本発明の作業架台を用いた構築方法の第１０工程図。
【図１６】本発明の作業架台を用いた構築方法の第１１工程図。
【図１７】本発明の作業架台を用いた構築方法の第１２工程図。
【符号の説明】
【００３１】
１・・・作業盤
１１・・覆工桁
１２・・架台主桁
１３・・吊りブロック
２・・・支柱
３・・・支持桁台
４・・・敷桁台
５・・・連結具
６・・・ピン
７・・・ピン
８・・・リフティング柱
１０・・重機
Ａ・・・作業架台
Ｂ・・・斜面構台
Ｃ・・・覆工板
１００・・・第１斜面構台
１１０・・・第１作業架台
１２０・・・第１作業場
２００・・・第２斜面構台
２１０・・・第２作業架台
２２０・・・第２作業場
３００・・・第３斜面構台
３２０・・・第３作業場
【図１】
2007138581.tif 000003
【図２】
2007138581.tif 000004
【図３】
2007138581.tif 000005
【図４】
2007138581.tif 000006
【図５】
2007138581.tif 000007
【図６】
2007138581.tif 000008
【図７】
2007138581.tif 000009
【図８】
2007138581.tif 000010
【図９】
2007138581.tif 000011
【図１０】
2007138581.tif 000012
【図１１】
2007138581.tif 000013
【図１２】
2007138581.tif 000014
【図１３】
2007138581.tif 000015
【図１４】
2007138581.tif 000016
【図１５】
2007138581.tif 000017
【図１６】
2007138581.tif 000018
【図１７】
2007138581.tif 000019